(57)【要約】      （修正有）【課題】有機廃棄物の詰まりを防止して、堆肥原料塊の製造を効率的、かつ確実に行うことのできる水分調整装置を提供する。【解決手段】有機廃棄物を攪拌羽４によって攪拌・粉砕しながら、有機廃棄物を回転ドラム１内で投入口Ｂから排出口Ｃに向けて移動させ、その移動速度を回転ドラム１のブロック毎に変化させるために、各ブロック毎に立設する攪拌羽４の枚数、長さ、傾斜角度を変える。【選択図】図１
2005119889.tif 000002
【特許請求の範囲】
【請求項１】
中空の攪拌ドラムの内周面に有機廃棄物を攪拌・粉砕する多数の攪拌羽を備え、当該攪拌羽は、有機廃棄物を回転ドラムの投入口から排出口に向けて移動させ、その移動速度を少なくとも投入口付近の移動速度を最速とし、これ以降の移動速度を投入口付近よりも遅くなるように、かつその移動速度を変化させながら、回転ドラム内における有機廃棄物の滞留時間を確保する態様である堆肥化における有機廃棄物の水分調整装置。
【請求項２】
攪拌羽が回転ドラムの軸線に対して、回転ドラムの軸線に対して有機廃棄物を排出口方向へ移動可能なように傾斜し、この傾斜の角度が異なる角度に設定されている請求項１に記載の堆肥化における有機廃棄物の水分調整装置。
【請求項３】
回転ドラムの中央付近に位置する攪拌羽が、有機廃棄物を投入口方向へ移動させるように傾斜している請求項１または請求項２に記載の堆肥化における有機廃棄物の水分調整装置。
【請求項４】
異なる長さの攪拌羽を備えている請求項１ないし請求項３いずれか１項に記載の堆肥化における有機廃棄物の水分調整装置。
【発明の詳細な説明】
【技術分野】
【０００１】
本発明は、家畜の排泄物や生ゴミあるいは下水道汚泥等の有機廃棄物から堆肥を製造するための原料を製造する水分調整装置に関する。
【背景技術】
【０００２】
本件発明に関連する先行技術文献情報としては、たとえば次のものがある。
【特許文献１】特許第３０３５２９０号（請求項１、図３および図４）
【発明の開示】
【発明が解決しようとする課題】
【０００３】
特許文献１に記載の水分調整装置は、回転ドラム内で落下する処理物（有機廃棄物）を、回転ドラム内に設けられたすのこ状、格子状または網状に形成された調整部を通過させることによって、水分調整をしながら徐々に堆肥を製造するための原料塊を製造するようになっているが、徐々に水分が少なくなるに従って、処理物が調整部を通過する際に調整部に詰まってしまう可能性がある。
調整部が詰まると、調整部を通過させながら処理物の水分を減少させる前記水分調整装置にあっては、処理物が調整部を通過せずに調整部間の空間で留まってしまうため、特許文献１に記載されている従来の装置における欠点が生じて原料塊の製造効率の低下が生じる。
【０００４】
そこで本発明は、有機廃棄物の詰まりを防止して、原料塊の製造を効率的、かつ確実に行うことを課題とし、この課題を解決する水分調整装置の提供を目的とする。
【課題を解決するための手段】
【０００５】
本発明は前記目的を達成するために、有機廃棄物を攪拌・粉砕しながら、有機廃棄物を回転ドラム内で投入口から排出口に向けて移動させ、さらに移動速度を変化させるようにした技術的手段を採用した。
具体的には、中空の攪拌ドラムの内周面に有機廃棄物を攪拌・粉砕する多数の攪拌羽を備え、当該攪拌羽を、有機廃棄物を回転ドラムの投入口から排出口に向けて移動させ、その移動速度を、投入口付近の移動速度を最速とし、これ以降の移動速度を投入口付近よりも遅くなるように、かつその移動速度を変化させながら、回転ドラム内における有機廃棄物の滞留時間を確保する態様とする。（請求項１）
有機廃棄物の移動速度を変化させる構成として、たとえば、攪拌羽を回転ドラムの軸線に対して、回転ドラムの軸線に対して有機廃棄物を排出口方向へ移動可能なように傾斜させ、この傾斜の角度を異なる角度に設定することが挙げられる。（請求項２）
さらに、回転ドラムの中央付近に位置する攪拌羽を、有機廃棄物を投入口方向へ移動させるように傾斜させる。（請求項３）
さらに、異なる長さの攪拌羽を備えた。（請求項４）
【発明の効果】
【０００６】
本発明によれば、回転ドラムの回転によって多数の攪拌羽が有機廃棄物を手返ししながら攪拌・粉砕し、投入口から排出口へ移動させて水分調整が行われる。
攪拌羽は投入口付近において有機廃棄物を最も早く下流（排出口側）へと移動させるので、有機廃棄物の投入口付近での滞留時間が短く、有機廃棄物をスムースに、かつ詰まらせること無く下流側へ移動させることができる。
さらに、投入口付近から下流へ移動した有機廃棄物は、その移動速度が遅くなり、回転ドラムでの滞留時間が長くなるので、手返ししながらの攪拌・粉砕が充分に行われる。
そして、攪拌羽によって攪拌・粉砕が行われるので、有機廃棄物に対して空気を充分に含ませることができ、この充分な空気によって好気性微生物による発酵を効率的に行うことができる。
請求項２の発明によれば、攪拌羽の傾斜の角度を異なる角度に設定することによって、有機廃棄物の移動速度を変化させることができる。
請求項３の発明によれば、回転ドラムの中央付近において、投入口側から移動してくる水分量の多い有機廃棄物と、逆方向の角度の攪拌羽に先に移動した排出口側から移動してくる水分量の有機廃棄物とが混合され、水分率の均一化を図ることができる。
また、投入口側から連続的に移動してくる有機廃棄物の移動圧力によって、混合された有機廃棄物が少しずつ排出口側へ押し出されて、排出口側へ向かって移動しながらさらに攪拌・粉砕される。
さらに、この位置において有機廃棄物の移動方向が逆になるので、移動速度が遅くなるように変化させて滞留時間を長くすることができる。
請求項４の発明によれば、異なる長さの攪拌羽を備えたことによっても、有機廃棄物の移動速度を変化させることができる。
したがって、本発明は、有機廃棄物の詰まりを防止して、原料塊の製造を効率的、かつ確実に行うことができる。
【発明を実施するための最良の形態】
【０００７】
本発明でいう移動速度の変化は、投入口付近以降の移動速度は、投入口付近の移動速度よりも遅くすれば任意であり、たとえば、投入口付近以降の移動速度を徐々に遅くし、排出口付近の移動速度を速くすること、または、水分量が多い投入口付近直後の移動速度を極端に遅くし、ここから徐々に移動速度を速くすること、さらには、投入口付近と排出口付近間の移動速度をランダムに変化させること等が挙げられる。
また、本発明の請求項２では、攪拌羽の傾斜角度によって移動速度を変化させ、請求項３では、回転ドラムの中央付近で移動方向が逆になるようにすることで移動速度を変化させ、請求項４では、攪拌羽の長さを異なるものにすることで移動速度を変化させているが、本発明では、これらをそれぞれ独立させて実施してもよいし、いずれか複数の組み合わせによって実施してもよい。
本発明では、有機廃棄物の移動を攪拌羽によって行うが、回転ドラム自体を傾けて、この傾斜による移動も補助的に使用してもよい。
【実施例】
【０００８】
以下、本発明の実施例を図面に基づいて説明する。
図１および図２は、本発明にかかる水分調整装置Ａを実施の一例を示し、符号１は有機廃棄物および乾燥剤を混合して混合処理物を作り、この混合処理物を攪拌・粉砕する回転ドラム、符号２は、有機廃棄物および乾燥剤を水分調整装置を送り込むためのホッパー、符号３は、有機廃棄物および乾燥剤を回転ドラム１に投入するためのコンベアである。
【０００９】
本実施例の水分調整装置Ａは、基本的な動作として、ホッパー２に送り込まれた有機廃棄物および乾燥剤をコンベア３を介して回転ドラム１に投入し、当該回転ドラム１の回転によって、有機廃棄物および乾燥剤を混合して混合処理物を作り、この混合処理物を攪拌・粉砕して水分調整を行って原料塊を製造するものである。
また、回転ドラム１の回転は、駆動部１１の回転を歯車機構１２を介して回転ドラム１に伝えることによって行われる。
符号１３は、回転ドラム１を回転可能に支持するローラである。
【００１０】
回転ドラム１内には、有機廃棄物および乾燥剤を混合して混合処理物を作り、この混合処理物を攪拌・粉砕する攪拌羽４を多数立設してある。
攪拌羽４は、図３に示すように、投入口Ｂから排出口Ｃ間に亘って回転ドラム１の周壁に立設されている。
【００１１】
攪拌羽４の立設構成を詳述すると、投入口Ｂから排出口Ｃ間を１１個のブロックａ〜ｋに分割し、そのブロックａ〜ｋにそれぞれ立設してある。
これらブロックａ〜ｋに立設された攪拌羽４は、回転ドラム１の軸線に対してそれぞれ一定の傾斜角度をもって立設されている。
ブロックａに立設された攪拌羽４は、回転ドラム１の軸線に対して４５度の傾斜角度であり、回転ドラム１の回転によって、排出口Ｃ側に混合処理物を攪拌・粉砕しながら移動させる方向に傾斜されている。
また、ブロックａにおける攪拌羽４の枚数が６枚であって、前記攪拌羽４の角度とこの枚数によって、ブロックａでの混合処理物の移動速度を最も速くしている。
なお、ブロックｅに立設された攪拌羽４以外は、全て排出口Ｃ側に混合処理物を移動させる方向に傾斜している。
ブロックｂに立設された攪拌羽４は、回転ドラム１の軸線に対して３０度の傾斜角度であり、その枚数が６枚であって、ブロックａに次いで混合処理物の移動速度を速くしている。
つまり、ブロックａ、ｂという投入口Ｂ付近の部位において、混合処理物の移動速度を速くすることによって、混合処理物を迅速に下流側へ移動させ、投入口Ｂでの混合処理物の過滞留を防止して、混合処理物を投入口Ｂからあふれ出てしまうことがないようにしている。
【００１２】
ブロックｃに立設された攪拌羽４は、回転ドラム１の軸線に対して１０度の傾斜角度であり、その枚数が３枚であって、混合処理物を極めてゆっくりな移動速度で攪拌・粉砕しながら移動させるようにされている。
ブロックｄに立設された攪拌羽４は、回転ドラム１の軸線に対して３０度の傾斜角度であり、その枚数が３枚であって、混合処理物を比較的ゆっくりな移動速度で攪拌・粉砕しながら移動させるようにされている。
【００１３】
ブロックｅに立設された攪拌羽４は、回転ドラム１の軸線に対してブロックｄの攪拌羽と逆向きとする３０度の傾斜角度であり、その枚数が３枚であって、混合処理物を比較的ゆっくりな移動速度で攪拌・粉砕しながら投入口方向に移動させるようにされている。
つまり、ブロックｄから連続的に移動してくる比較的水分の多い混合処理物が、ブロックｅから移動してくる比較的水分の少ない混合処理物とがブロックｄ，ｅ間で混合されることによって、混合処理物の水分量の均一化が行われる。
ブロックd，ｅ間では、それぞれから移動してくる混合処理物がぶつかって混合され、この混合処理物が連続的に移動してくるブロックｄからの混合処理物の移動圧力によって、ブロックｅから少しずつ、ブロックｆに移動する。
また、ブロックｅにおける移動速度は、混合処理物を逆に移動させるとともに、ブロックｄから移動してくる混合処理物とぶつかって混合されるので、このブロックｅでの混合処理物の移動速度が最も遅い部位であり、攪拌・粉砕が最も多く行われる部位である。
【００１４】
ブロックｆ〜ブロックｊに立設された攪拌羽４は、それぞれ回転ドラム１の軸線に対して１０度の傾斜角度であり、その枚数が３枚であって、混合処理物を極めてゆっくりな移動速度で攪拌・粉砕しながら移動させるようにされている。
特に、ブロックｈ〜ブロックｊに立設された攪拌羽４は、その長さがもっとも短くいため、混合処理物をさらにゆっくりな移動速度で攪拌・粉砕しながら移動させるようにされている。
ブロックｋに立設された攪拌羽４は、回転ドラム１の軸線に対して３０度の傾斜角度であり、その枚数が３枚であって、混合処理物を比較的速い移動速度で攪拌・粉砕しながら移動させて、排出口Ｃから排出させるようにされている。
【００１５】
以上のように、本実施例の水分調整装置Ａは、混合処理物を投入口から排出口まで、攪拌羽４によって移動速度を変化させながら強制的に移動させるものであるので、有機廃棄物をスムースに、かつ詰まらせること無く下流側へ移動させることができる。
なお、本発明は、例示した実施例に限定するものではなく、特許請求の範囲の各項に記載された内容から逸脱しない範囲で他の構成による実施が可能である。
【図面の簡単な説明】
【００１６】
【図１】本発明にかかる水分調整装置の一部切欠側面図。
【図２】図１の（２）‐（２）線断面図。
【図３】回転ドラムの展開図。
【符号の説明】
【００１７】
Ａ：水分調整装置
１：回転ドラム
２：ホッパー
３：コンベア
４：攪拌羽
ａ〜ｋ：ブロック
【図１】
2005119889.tif 000003
【図２】
2005119889.tif 000004
【図３】
2005119889.tif 000005